(57)【要約】      （修正有）【課題】挙上装置のフック部の先端にスリングシートの吊り紐が載置される不安定な状態となることを解消できる、スリングシートを提供する。【解決手段】被介護者の背側にあてがわれる基布体１１と、この基布体の周縁部に複数設けられ、挙上装置が備えるフック部に係止可能な環状領域を形成する平たい帯状の吊り紐１２とを備えるスリングシート１０において、吊り紐は、フック部を一面側から他面側へ挿通可能とする切れ目１５を備える。この切れ目によって吊り紐がフック部の先端上に載置されたとしても、フック部の先端が吊り紐に設けられた切れ目を押圧して拡開し、切れ目を介して吊り紐がフック部に沿って滑り落ちる。ゆえに、吊り紐はフック部内に納まって確実に引っ掛かった状態となり、スリングシートの不安定な吊り下げ状態が作り出されることが回避される。【選択図】図１
0003222466.tif 000002
【実用新案登録請求の範囲】
【請求項１】
被介護者を挙上装置によって移動させるときに用いられるスリングシートであって、
寝たままもしくは座った状態の被介護者の背側にあてがわれる基布体と、
この基布体の周縁部に複数設けられ、その一端側と他端側とが前記基布体に取り付けられることで、前記挙上装置が備えるフック部に係止可能な環状領域を形成する平たい帯状の吊り紐とからなり、
前記吊り紐は、前記フック部を一面側から他面側へ挿通可能とする不安定係止状態回避手段を備えていることを特徴とするスリングシート。
【請求項２】
前記不安定係止状態回避手段は、前記吊り紐の長さ方向に沿って線状に形成された切れ目であることを特徴とする請求項１に記載のスリングシート。
【請求項３】
前記不安定係止状態回避手段は、前記吊り紐の幅方向中央から放射状に形成された切れ目であることを特徴とする請求項１に記載のスリングシート。
【請求項４】
前記不安定係止状態回避手段は、前記切れ目の拡開を制止する閉塞手段をさらに備えることを特徴とする請求項２又は３に記載のスリングシート。
【請求項５】
前記閉塞手段は、前記切れ目を全体的又は部分的に覆う被覆材と、前記被覆材を前記吊り紐に対して着脱自在とする係止部材とから構成されていることを特徴とする請求項４に記載のスリングシート。
【請求項６】
前記係止部材は、一対の面ファスナであることを特徴とする請求項５に記載のスリングシート。
【請求項７】
前記係止部材は、一対のホックであることを特徴とする請求項５に記載のスリングシート。
【考案の詳細な説明】
【技術分野】
【０００１】
本願考案は、スリングシートに係り、詳しくは、スリングシートの吊り紐が挙上装置（クレーン）のフック部から脱落してしまう虞を生じないように改良した技術に関する。
【背景技術】
【０００２】
近年、起伏や寝返りの困難な老人や病人、傷害者等の介護が大きな問題となっている。特に、少子高齢化社会の到来により、高齢者自身が介護者にならなければいけない事態があり、たとえば、高齢者が自身よりも高齢の者の介護を行う、いわゆる老−老介護が現実問題として発生している。
【０００３】
この様な介護においては、介護者が自らの力で被介護者を抱きかかえたり、持ち上げたりして移動させ、ベッドの敷布の交換や入浴等をさせなければならない等、極めて労力を必要とし、老齢な介護者にはとても困難な作業である。
【０００４】
そこで、従来から起伏や寝返りの困難な要介護者をベッド、車椅子、便座、風呂等の相互間で移動させるときに、要介護者の安全等を確保し、また介護者の負担を軽減するため、挙上装置等を使用する方法が知られている。この挙上装置を使用する方法では、被介護者をスリングシートに載せた後、スリングシートを吊り上げるためにその周縁部等に設けられた吊り紐を挙上装置のフック部に引っ掛け、吊り上げることで使用される。もちろん、数名の介護者が吊り紐を掴んで持ち上げるなどして使用される場合もある。（例えば、特許文献１参照）。
【０００５】
しかしながら、スリングシートの吊り紐は、一般的に平たい帯状をしている。そのため、吊り紐が挙上装置のフック部に正しく引っ掛った状態ではなく、たとえば、図７（Ａ）に示すように、介護者の不注意によって吊り紐１１２がフック部Ｆの先端（爪）上に載置される不安定な状態を作り出してしまうことがある。
このような不安定な載置状態のまま挙上装置によってスリングシートを吊り上げると、図７（Ｂ）に示すように、帯状をした吊り紐に被介護者の体重が掛かり、吊り紐は下方に向かって略「く」の字状に曲折したものとなる。
【０００６】
さらに、被介護者の移動を続けると、フック部Ｆの先端上での吊り紐１１２のバランスが徐々に崩れ、吊り紐１１２がフック部Ｆの先端から次第に滑り落ちるものとなる。この際、図８において破線矢印で示すように、吊り紐１１２がフック部Ｆの先端から内側に滑り落ち、吊り紐１１２がフック部Ｆ内に納まって確実に引っ掛かった安定した状態となれば良いが、図９において破線矢印で示すように、吊り紐１１２がフック部Ｆの先端から外側に滑り落ち、吊り紐１１２がフック部Ｆから完全に外れてしまうことがある。
【０００７】
つまり、スリングシートの吊り紐１１２が挙上装置のフック部Ｆの内側に正しく引っ掛っていないと、挙上装置を用いた被介護者の移動中に吊り紐１１２がフック部Ｆから外れ、スリングシートの吊り上げ状態のバランスを崩してスリングシートから被介護者を落下させてしまう事故を引き起こす虞がある。
【０００８】
このような吊り紐１１２の不確実な引っ掛け状態を引き起こしてしまう一因として、作業時における介護者の視線や、介護者が抱える仕事量が一因であると考えられる。つまり、挙上装置を使用する際、介護者は斜め下から見上げる方向で吊り紐１１２をフック部Ｆに引っ掛けるようにしているため、介護者は視線の角度によって吊り紐１１２のフック部Ｆへの引っ掛け状態を見誤ってしまうことがある。また、決まった時間内に多くの業務を片付けなければならないといった介護者の心理状態が焦りとなり、吊り紐１１２のフック部Ｆへの引っ掛け状態の確認作業を疎かにしてしまうことがある。
【０００９】
そこで、吊り紐がフック部の先端上に載置（不安定係止）しないように、吊り紐を、その断面が円形等の立体形状をしたロープやワイヤ等とすることが考えられる。
ところが、吊り紐は、スリングシートの周縁部に縫製等によって取り付けられるものであるため、平面的な帯状のものが望ましく、断面が円形等の立体形状をしたものとすると、スリングシートに対して吊り紐の端部を取り付けることが困難なものとなってしまう。
【００１０】
また、スリングシートを折り畳む場合、吊り紐の断面が円形等の立体形状をしたものであると、吊り紐をスリングシートの周縁部から綺麗に内側へ折り畳むことが困難であると共に、全体的に嵩張った収納し辛いものとなってしまう。
【００１１】
そのため、出願人は、吊り紐の断面形状を円形等の立体形状とすることなく、吊り紐がフック部の先端上に載置しないようにする手段として、吊り紐の一面側に、部分的に突出する肉厚部材を設けることを提案している（特許文献２参照）。
【００１２】
このような吊り紐は、肉厚部材が妨げとなって一面側がフック部の先端上に載置されることがなく、偶然に吊り紐の一面側がフック部の先端上に載置される状態が作り出されたとしても、スリングシートの吊り上げ作業の初期段階において吊り紐はバランスを崩し、フック部の内側もしくは外側の何れかに落ちるため、不安定な吊り下げ状態が作り出されることが事前に回避されることとなる。
【００１３】
また、吊り紐の他面側がフック部の先端上に載置された場合でも、一面側において突出する肉厚部材をフック部の内側に向かって指等で押し込むように操作することで、吊り紐はフック部の先端から内側に脱落し、フック部内に納まって確実に引っ掛かった状態となる。ゆえに、吊り紐は不安定な吊り下げ状態が容易に解消されるものとなるため非常に望ましい。
【００１４】
このように、吊り紐の一面側において部分的に突出する肉厚部材を設ける手段は望ましいものであるが、さらに安易な手段によって不安定な吊り下げ状態が作り出されることを回避する手段の提案が望まれている。
【先行技術文献】
【特許文献】
【００１５】
【特許文献１】特開２００１−８７３２４号公報
【特許文献２】実用新案登録第３１８９０４８号公報
【考案の概要】
【考案が解決しようとする課題】
【００１６】
本考案は、上記事情に鑑みて成されたものであり、挙上装置のフック部の先端にスリングシートの吊り紐が載置される不安定な状態となることを解消し、スリングシートを安全に吊り上げることを可能とした新たな技術を提供することを目的とする。
【課題を解決するための手段】
【００１７】
今般、出願人は鋭意研究の結果、吊り紐の一面側に部分的に突出する肉厚部材を設けることなく、不安定な吊り下げ状態が作り出されることを回避される手段を、次のとおり創出した。
【００１８】
すなわち、本考案は、被介護者を挙上装置によって移動させるときに用いられるスリングシートであって、寝たままもしくは座った状態の被介護者の背側にあてがわれる基布体と、この基布体の周縁部に複数設けられ、その一端側と他端側とが前記基布体に取り付けられることで、挙上装置が備えるフック部に係止可能な環状領域を形成する平たい帯状の吊り紐とからなり、前記吊り紐は、フック部の先端を一面側から他面側へ挿通可能とする不安定係止状態回避手段を備えていることを特徴とする。
【００１９】
本考案のスリングシートにおいて、不安定係止状態回避手段は、たとえば、吊り紐の幅方向の中央部に長さ方向に沿って線状に形成された拡開可能な切れ目や、吊り紐の幅方向中央から放射状に形成された拡開可能な切れ目、もしくは事前に拡開した開口とすることができる。
【００２０】
また、本考案のスリングシートにおいて、不安定係止状態回避手段は、切れ目の拡開を制止する閉塞手段をさらに備えるものとしても良い。
この閉塞手段としては、たとえば、切れ目を全体的又は部分的に覆う被覆材と、この被覆材を吊り紐に対して着脱自在に取り付けることを可能とする、たとえば、一対の面ファスナや一対のホック等の係止部材とから構成されたものとすることができる。
【考案の効果】
【００２１】
本考案のスリングシートは、吊り紐が、フック部の先端を一面側から他面側へ挿通可能とする不安定係止状態回避手段の一つとして切れ目を備えるものとなっている。ゆえに、フック部の先端上に吊り紐が配されたとしても、吊り紐は挙上装置によるスリングシートの吊り上げ開始時に、フック部の先端が吊り紐の切れ目を押圧することで一面側から他面側への挿通を可能とし、吊り紐はフック部内に納まって確実に引っ掛かった状態となる。
【００２２】
したがって、スリングシートの吊り紐の中途半端な引っ掛けによってもたらされる不安定な吊り下げ状態を解消し、挙上装置を用いた被介護者の移動中に吊り紐がフック部の外側に外れてしまう虞をなくし、安全にスリングシートを吊り上げることができる。
【図面の簡単な説明】
【００２３】
【図１】本考案に係るスリングシートを示す平面（展開）図である。
【図２】本考案に係るスリングシートの吊り紐に設けられた不安定係止状態回避手段（切れ目）を示す（Ａ）部分拡大平面図、（Ｂ）Ｉ−Ｉ線に沿う断面図である。である。
【図３】図２に示す吊り紐の吊り下げ動作を順次説明する模式図である。
【図４】本考案に係るスリングシートに設けられた不安定係止状態回避手段（切れ目）に閉塞手段をさらに設けた状態を示す（Ａ）部分拡大一部破断平面図、（Ｂ）ＩＩ−ＩＩ線に沿う断面図である。
【図５】図４に示す吊り紐の吊り下げ動作を順次説明する模式図である。
【図６】本考案に係るスリングシートの吊り紐に設けられた他の不安定係止状態回避手段（切れ目）を示す部分拡大平面図である。
【図７】従来のスリングシートを用いたときの吊り紐の動作を順次説明する模式図である。
【図８】従来のスリングシートを用いたときの吊り紐の動作を説明する、吊り紐がフック部の先端から内側に滑り落ちてフック部に引っ掛かった状態を示す模式図である。
【図９】従来のスリングシートを用いたときの吊り紐の動作を説明する、吊り紐がフック部の先端から外側に滑り落ちてフック部から外れてしまった状態を示す模式図である。
【考案を実施するための形態】
【００２４】
以下、本考案における実施の形態の一例について、図面を参照して説明する。
なお、以下に述べる実施の形態は、本考案の好適な具体例であるため技術的に種々の限定が付されているが、本考案の範囲は、以下の説明において特に限定する旨の記載がない限り、これらの形態に限られるものではない。
【００２５】
本実施の形態におけるスリングシート１０は、被介護者を挙上装置によって移動させるときに用いられるものであって、図１に示すように、基布体１１と、吊り紐１２とから構成され、当該吊り紐１２は、不安定係止状態回避手段の一つとして切れ目１５を備えている。
【００２６】
ここで、図示しないが、挙上装置は、支柱に回動自在に取付けた回動スリーブと、この回動スリーブの上端部に傾動可能に設けた吊り下げバーと、吊り下げバーの先端部に設けたフック部と、回動スリーブと吊り下げバーとの間に設けたリニアアクチュエータとで構成されている。
本考案のスリングシート１０は、この挙上装置のフック部に吊り紐１２を掛止し、被介護者を乗せて吊り上げるものとなっている。
【００２７】
基布体１１は、寝たままもしくは座った状態の被介護者の背側にあてがわれ、被介護者の大腿部から背中を支えるように形成されたシート体である。
この基布体１１は、たとえば、ナイロンやポリエステル等の化学繊維製布、又はナイロン製メッシュ等により構成されている。また、基布体１１の適宜箇所には、補強帯１３が設けられており、たとえば、１００Ｋｇ以上の荷重に耐えられるように縫製されたものとなっている。
【００２８】
図１は、スリングシート１０の背面側（外側）を示すものであり、図１において、基布体１１は、少なくとも尻部を十分に覆うことができ、下方に左右の脚サポート部がそれぞれ延設された、脚分離型のスリングシートを構成するものとして示されている。なお、図中の符号１４は、介護用バンドである。
【００２９】
吊り紐１２は、その一端側と他端側とが基布体１１の周縁部に取り付けられることで、挙上装置が備えるフック部に係止可能な環状領域を形成する平たい帯状体である。
この吊り紐１２は、基布体１１の周縁部に設けられた補強帯１３を介して複数取り付けられており、これらの吊り紐１２を挙上装置が備えるフック部に取り付けることで、挙上装置によってスリングシート１０をバランス良く持ち上げ、被介護者を移動可能とするものである。
【００３０】
図１において、吊り紐１２は、基布体１１の左右の上端と左右の下端にそれぞれ、合計４つ設けられたものとして示されており、左右の下端に設けられた吊り紐１２，１２が、上述した左右の脚サポート部となっている。
なお、本実施の形態では、吊り紐１２は４つ設けられたものとなっているが、通常のスリングシートでは４〜６点で吊り上げるものとなっているため、吊り紐１２の設置数はこれに限定されず、適宜所望の数とすることができる。
【００３１】
切れ目１５は、図２に示すように、吊り紐１２の一面１２ａ側から他面１２ｂ側に貫通する開口領域であって、フック部での押圧によって拡開し、挿通可能となるものである。
この切れ目１５は、吊り紐１２における長さ方向の一部分、具体的には、スリングシートを吊り上げたときに荷重が掛かる支点となる中央領域に、長さ方向に沿って設けられている。また、切れ目１５には、少なくとも長さ方向両端の縁に、不用意に裂けないように補強のための糸かがりが施されたものとなっている。
【００３２】
また、切れ目１５の形状は、フック部が挿通可能なように拡開することとなるのであれば特に限定されず、たとえば、図２に示すように、吊り紐１２の幅方向の中央部に長さ方向に沿って形成された、平面視一直線状をしたものとすることができる。
【００３３】
このような切れ目１５を備える吊り紐１２は、図３に示すように動作する。
まず、図３（Ａ）に示すように、吊り紐１２の一面がフック部Ｆの先端（爪）上に位置して配されたとする。
この場合、上述した図７に示す従来の吊り紐１１２では、このまま挙上装置によってスリングシート１０を吊り上げると、吊り紐１１２は下方に向かって略「く」の字状に曲折し、やがてフック部Ｆの先端上での吊り紐１１２のバランスが徐々に崩れて滑り落ち、最悪の場合、吊り紐１１２がフック部Ｆから外れて滑落してしまうおそれがある。
【００３４】
ところが、本考案では、挙上装置によってスリングシート１０を吊り上げると、図３（Ｂ）において白抜き矢印で示すように、吊り紐１２に荷重（すなわち、被介護者の体重）が掛かることで、フック部Ｆの先端が吊り紐１２に設けた切れ目１５を押圧して拡開するものとなる。
【００３５】
引き続き、スリングシート１０を吊り上げて被介護者の移動を続けると、図３（Ｃ）に示すように、切れ目１５はさらに拡開してフック部Ｆの先端が切れ目１５を挿通し、切れ目１５を介して吊り紐１２の幅方向の一部がフック部Ｆの内側に滑り落ち、吊り紐１２はフック部Ｆ内に納まって確実に引っ掛かった状態となる。ゆえに、吊り紐１２は、幅方向の一部だけが引っ掛かった状態でも破損しない強度を備えたものとなっている。
【００３６】
このように、本スリングシート１０によれば、吊り紐１２の中途半端な引っ掛けによってもたらされる不安定な吊り下げ状態を解消し、被介護者を安全に吊り上げて、吊り上げ途中における被介護者の不慮の落下を防止することが出来る。
【００３７】
なお、吊り紐１２は、切れ目１５側が長さ方向に沿う外縁部側より柔軟となるように、たとえば、外縁部に糸かがりを施して外縁部を硬くするものとしても良い。
これにより、フック部の先端に吊り紐１２の一面が位置して配された場合、吊り紐１２における外縁部側の伸びより切れ目１５側の伸びが優れ、フック部の先端が切れ目１５に向かって誘導され易く、吊り紐１２がフック部から外れてしまうおそれを抑制することが出来る。
【００３８】
また、本実施の形態におけるスリングシート１０は、図４に示すように、不安定係止状態回避手段としての切れ目１５が閉塞手段１６をさらに備えるものとしても良い。すなわち、吊り紐１２が挙上装置のフック部Ｆに正しく引っ掛からずに、吊り紐１２に設けた切れ目１５が機能するようなことは稀であるが、何回か切れ目１５が機能することで切れ目１５の周囲がよれよれになって切れ目１５が無闇に拡開（開口）した状態となってしまうことが想定される。その場合、フック部Ｆに対する吊り紐１２の引っ掛け作業が行い難くなってしまうため、閉塞手段１６を設けることによって切れ目１５の無闇な拡開を抑止するものである。
【００３９】
このような閉塞手段１６としては、たとえば、切れ目１５を全体的又は部分的に覆う被覆材１７と、この被覆材１７を吊り紐１２に対して着脱自在とする係止部材１８とから構成されたものとすることができる。
【００４０】
被覆材１７は、切れ目１５を覆うことができれば素材は特に限定されない。ゆえに、基布体１１と同様に、たとえば、ナイロンやポリエステル等の化学繊維製布、又はナイロン製メッシュ等により構成されたものとすることができる。
【００４１】
また、係止部材１８は、吊り紐１２に対して被覆材１７を装着可能とし、切れ目１５が無闇に拡開しないように係止状態を維持すると共に、フック部Ｆの先端による押圧によって係止状態が容易に解除される機能を有するものが望ましい。このような係止部材１８としては、具体的に、たとえば、一対の面ファスナやホックとすることができる。
【００４２】
ゆえに、このような閉塞手段１６によれば、被覆材１７が切れ目１５を覆っている状態では、係止部材１８による係止よって切れ目１５の拡開を制止するが、フック部Ｆの先端が被覆材１７を押圧することで、係止部材１８（１８ａ，１８ｂ）による係止状態が容易に解除されて被覆材１７が捲れるものとなる。そうすると、切れ目１５は拡開可能となり、フック部Ｆの先端が吊り紐１２の一面側から他面側への挿通を可能とすることができる。
【００４３】
図４において、被覆材１７によって切れ目１５が全体的に覆われ、被覆材１７は一対の面ファスナ１８ａ，１８ｂによって吊り紐１２に対して着脱自在となる閉塞手段１６が示されている。
なお、互いに係合可能な一対の面ファスナ１８ａ，１８ｂは、一方の面ファスナ１８ａが被覆材１７に取り付けられ、他方の面ファスナ１８ｂが吊り紐１２に取り付けられたものとなっている。また、図中の符合１９は、被覆材１７を吊り紐１２に固定するために縫製した際のミシン目である。
【００４４】
このように切れ目１５が閉塞手段１６を備える場合の吊り紐１２は、図５に示すように動作する。
まず、図５（Ａ）に示すように、他面側に閉塞手段１６を備える吊り紐１２の一面側がフック部Ｆの先端（爪）上に位置して配されたとする。
この際、吊り紐１２は、閉塞手段１６を構成する一対の面ファスナ１８ａ，１８ｂの係合によって被覆材１７は吊り紐１２に装着され、切れ目１５の無闇な拡開が抑止されて扱い易いものとなっている。
【００４５】
引き続き、挙上装置によってスリングシート１０を吊り上げると、図５（Ｂ）において白抜き矢印で示すように、吊り紐１２に荷重（すなわち、被介護者の体重）が掛かることでフック部Ｆの先端が吊り紐１２に設けられた切れ目１５を押圧して拡開すると共に、被覆材１７を吊り紐１２に装着する一対の面ファスナ１８ａ，１８ｂの係合が解除され、被覆材１７が吊り紐１２から捲れ上がるものとなる。
【００４６】
さらに、スリングシート１０を吊り上げて被介護者の移動を続けると、図５（Ｃ）に示すように、切れ目１５はさらに拡開してフック部Ｆの先端が切れ目１５を挿通し、切れ目１５を介して吊り紐１２の幅方向の一部がフック部Ｆの内側に滑り落ち、吊り紐１２はフック部Ｆ内に納まって確実に引っ掛かった状態となる。
【００４７】
したがって、本スリングシート１０によれば、切れ目１５が閉塞手段１６を備えることによって、フック部Ｆに対する吊り紐１２の引っ掛け作業に支障のないものとすることができると共に、吊り紐１２の中途半端な引っ掛けによってもたらされる不安定な吊り下げ状態を解消し、安全に吊り上げることができる。
【００４８】
なお、上述した実施の形態では、切れ目の形状が平面視一直線状をしたものとして説明したが、本考案はこれに限定せず、たとえば、図６に示すように、吊り紐１２の幅方向中央から均等に四方に放射状に開口する平面視Ｘ状に形成された切れ目２５としても良い。
また、図示しないが、切れ目は、吊り紐の幅方向中央から放射状に三方又は五方もしくはそれ以上の複数方向に開口するものや、不均等に放射状に開口するものとしても良い。
【符号の説明】
【００４９】
Ｆ  フック部、１０  スリングシート、１１  基布部、１２  吊り紐、１３  補強布、１４  介護用バンド、１５，２５  切れ目（不安定係止状態回避手段）、１６  閉塞手段、１７  被覆材、１８  係止部材（面ファスナ）、１９  縫い目。
【図１】
0003222466.tif 000003
【図２】
0003222466.tif 000004
【図３】
0003222466.tif 000005
【図４】
0003222466.tif 000006
【図５】
0003222466.tif 000007
【図６】
0003222466.tif 000008
【図７】
0003222466.tif 000009
【図８】
0003222466.tif 000010
【図９】
0003222466.tif 000011